(57)【要約】【課題】試料中の生理活性物質の測定において、高感度かつ生理活性と対応した測定結果を得る測定方法を提供する。【解決手段】（１）生理活性物質の測定において、測定対象物質の細胞への信号伝達に関与する受容体タンパクまたはその誘導体を用いる生理活性物質の測定方法。（２）測定対象物質がＨＭＧＢ１である上記の生理活性物質の測定方法。（３）受容体タンパクまたはその誘導体を用いて生理活性物質の測定を行うための測定キット。【選択図】なし【特許請求の範囲】
【請求項１】
試料中の生理活性物質を測定するにあたり、測定対象物質と特異的に結合する第１の結合物質を基材上に固相化するステップ、この基材と測定対象物質を含むサンプル、および測定対象物質と特異的に結合する第２の結合物質を順次あるいは同時に接触させるステップを含む測定方法において、第１の結合物質または第２の結合物質の少なくとも一方が、測定対象物質の細胞への信号伝達に関与する細胞表面の受容体タンパクまたはその部分ペプチドを含むタンパクまたはそれらの誘導体であることを特徴とする生理活性物質の測定方法。
【請求項２】
受容体タンパクが、細胞膜貫通領域および細胞内領域を欠失させた可溶性受容体またはその誘導体であることを特徴とする請求項１記載の生理活性物質の測定方法。
【請求項３】
測定対象物質と特異的に結合する第１および第２の物質の一方が測定対象物質に対する抗体であり、他方が受容体タンパクまたはその部分ペプチドを含むタンパクまたはその誘導体であることを特徴とする請求項１記載の生理活性物質の測定方法。
【請求項４】
測定対象物質がハイモビリティーグループタンパク１（ＨＭＧＢ１）である請求項１〜３のいずれかに記載の生理活性物質の測定方法。
【請求項５】
受容体タンパクが、糖化変性タンパク受容体（ＲＡＧＥ）またはその誘導体である請求項４記載の生理活性物質の測定方法。
【請求項６】
請求項１〜５のいずれかに記載の生理活性物質の測定方法で測定を行うための測定キット。
【発明の詳細な説明】
【０００１】
【発明の属する技術分野】
本発明は、試料中の生理活性物質を測定するための方法および測定キットに関するものである。
【０００２】
【従来の技術】
混合物中から特定の物質を選択的に検出・測定する目的で、測定対象物質と特異的に結合する物質を用いる方法は非常に有用な手段である。特に、２種類の特異的結合物質を用い、一方の基材表面に固相化して用いることにより結合物質−測定対象物質−結合物質の３者複合体を基材表面に形成させてこれを検出するサンドイッチ法は、特異性、感度に優れた方法として、体液などの多種の物質を含む試料からの特定の微量成分を特異的に測定する目的に広く用いられている。（たとえば、非特許文献１参照）。
【０００３】
【非特許文献１】
ローヒアイネン（Ｒｏｕｈｉａｉｎｅｎ  Ａ）他３名、「血小板の活性化に伴い細胞表面に移送される内因性タンパクとしてのアンフォテリン（ＨＭＧ１）の存在（Ｏｃｃｕｒｒｅｎｃｅ  ｏｆ  ａｍｐｈｏｔｅｒｉｎ  （ＨＭＧ１）  ａｓ  ａｎ  ｅｎｄｏｇｅｎｏｕｓ  ｐｒｏｔｅｉｎ  ｏｆ  ｈｕｍａｎ  ｐｌａｔｅｌｅｔｓ  ｔｈａｔ  ｉｓ  ｅｘｐｏｒｔｅｄ  ｔｏ  ｔｈｅ  ｃｅｌｌ  ｓｕｒｆａｃｅ  ｕｐｏｎ  ｐｌａｔｅｌｅｔ  ａｃｔｉｖａｔｉｏｎ）」、Ｔｈｒｏｍｂ．Ｈａｅｍｏｓｔ．（ドイツ）、２０００年、８４巻、ｐ１０８７−１０９４
【０００４】
【発明が解決しようとする課題】
通常、上述の測定方法においては、測定対象物質と特異的に結合する物質として抗体が用いられている。抗体は、一般に対象物質との結合の特異性、親和性に優れており、また酵素などを共有結合させて誘導体化することが容易であるなど多くの利点を有している。しかし、一方血液などの体液中、あるいは細胞培養サンプル中などから生理活性物質を測定する系においては、測定サンプル中に測定対象物質と類似しているが生理活性を持たない物質が存在する可能性が考えられ、抗体を用いる従来の方法では、抗体が生理活性を持たない類似物も認識してしまうために、測定結果が対象物質の生理活性と対応しない懸念が常にある。例えば、生理活性タンパク質を測定する場合には、測定対象タンパク質の前駆体あるいは部分分解産物が存在し、抗体がこれらとも結合することはしばしば起こりうる。また、タンパクによっては、サンプル中の他の物質と複合体をつくるなどして活性を失う場合もあるが、抗体はこのような複合体も認識する可能性がある。
【０００５】
すなわち、生理活性物質の測定において、結合物質として抗体のみを用いる従来の方法では、結果が測定対象物質の生理活性を正しく反映しない場合があり、特に、２種類の抗体を組み合わせて用いる測定においては、両方の抗体の認識性が複雑に影響するため、測定結果と生理活性が対応しない可能性がさらに高くなる。
【０００６】
また、抗体を用いる測定方法の他の問題点として、測定対象物質の性質によっては動物に免疫した場合の抗原性が低いために、測定に用いるための抗体として性能の高い（結合力の強い）ものが得られにくい場合がしばしばある。特に２種類の抗体を組合せ用いるサンドイッチ法では、測定対象物質上の異なる２点と結合する２種の抗体を得る必要があるが、抗原性が低い物質では、得られる抗体の認識部位が測定対象物質上の特定の部位に限定されてしまうために、高感度なサンドイッチ測定系を作製することが困難となり、この場合満足のいく測定感度が得られないことになる。
【０００７】
【課題を解決するための手段】
多くの生理活性タンパク質は、細胞表面にある受容体に結合することによりその活性を細胞に伝える。従って、測定対象物質の生理活性は、細胞への信号伝達に関与する受容体との結合性に反映されると考えられる。このため、免疫測定系に受容体タンパクを用いれば、生理活性に対応した物質量をより正しく測定することができると考えられる。
【０００８】
さらに、受容体は一般的に結合タンパクとの親和性、特異性に優れるため、結合力の強い抗体が得られにくいような抗原に対しても、受容体タンパクを用いることにより高感度の測定系を構築することが可能になる。
【０００９】
以上の点に鑑み、本発明者らは本発明に到達した。すなわち、本発明は以下のような構成を有する。
（１）試料中の生理活性物質を測定するにあたり、測定対象物質と特異的に結合する第１の結合物質を基材上に固相化するステップ、この基材と測定対象物質を含むサンプル、および測定対象物質と特異的に結合する第２の結合物質を順次あるいは同時に接触させるステップを含む測定方法において、第１の結合物質または第２の結合物質の少なくとも一方が、測定対象物質の細胞への信号伝達に関与する細胞表面の受容体タンパクまたはその部分ペプチドを含むタンパクまたはそれらの誘導体であることを特徴とする生理活性物質の測定方法。
（２）受容体タンパクが、細胞膜貫通領域および細胞内領域を欠失させた可溶性受容体またはその誘導体であることを特徴とする請求項１記載の生理活性物質の測定方法。
（３）測定対象物質と特異的に結合する第１および第２の物質の一方が測定対象物質に対する抗体であり、他方が受容体タンパクまたはその部分ペプチドを含むタンパクまたはその誘導体であることを特徴とする請求項１記載の生理活性物質の測定方法。
（４）測定対象物質がハイモビリティーグループタンパク１（ＨＭＧＢ１）である請求項１〜３のいずれかに記載の生理活性物質の測定方法。
（５）受容体タンパクが、糖化変性タンパク受容体（ＲＡＧＥ）またはその誘導体である請求項４記載の生理活性物質の測定方法。
（６）請求項１〜５のいずれかに記載の生理活性物質の測定方法で測定を行うための測定キット。
【００１０】
【発明の実施の形態】
本発明は、試料中の生理活性物質を測定（定量）するにあたり、測定対象の生理活性物質（以下、測定対象物質という）と特異的に結合する第１の結合物質を基材上に固相化するステップ、この基材と測定対象物質を含むサンプル、および測定対象物質と特異的に結合する第２の結合物質を順次あるいは同時に接触させるステップを含む方法であって、第１の結合物質または第２の結合物質の少なくとも一方が、測定対象物質の細胞への信号伝達に関与する細胞表面の受容体タンパクまたはその部分ペプチドを含むタンパクまたはそれらの誘導体であることを特徴とする方法である。
【００１１】
本発明でいう受容体タンパクの部分ペプチドとは、受容体タンパクを構成する全アミノ酸配列のうちアミノ末端またはカルボキシル末端またはその両方が欠失した配列であり、そのペプチドの長さは限定されないが、受容体としての結合能を維持するためには少なくとも８個以上のアミノ酸からなる配列が望ましい。特に、細胞膜貫通領域および細胞内領域を欠失させた可溶性受容体は、安定性に優れており好適である。また、本発明でいう受容体タンパクの誘導体とは、天然の受容体のアミノ酸配列またはその部分ペプチドに、該受容体に由来する以外の任意の配列のアミノ酸、あるいはアミノ酸以外の化合物を付加させたもの、または受容体のアミノ酸配列に０、１もしくは数個のアミノ酸の置換、欠失を加えたもの等をいう。
【００１２】
本発明において、測定対象物質と結合する第１の結合物質および第２の結合物質のうち、少なくとも一方は測定対象物質の細胞への信号伝達に関与する細胞表面の受容体タンパクまたはその部分ペプチドを含むタンパクまたはその誘導体（以下、受容体等という）であり、他方は特に限定されないが、モノクローナル抗体、ポリクローナル抗体などの抗体、特に測定対象物質に対する抗体が好適に用いられる。測定対象物質が分子上に２カ所以上の受容体結合部位を有する場合は、第１の結合物質および第２の結合物質の両方ともに受容体等を用いることができる。
【００１３】
結合物質として用いる受容体等は、細胞膜から精製した受容体そのもの、細胞が分泌する受容体の部分ペプチド、遺伝子組み換えにより大腸菌、動物細胞、昆虫細胞などで作製した受容体またはその部分ペプチドおよびそれらの誘導体など、測定対象物質との結合領域を保持した受容体であれば、その作製方法および形態は限定されない。
【００１４】
測定対象物質と特異的に結合する第１の結合物質を固相化する基材は、物理的な吸着あるいは化学結合により固定化が可能なものであれば、その材質及び形状は限定されない。例えば、ポリスチレン、ポリプロピレン、ポリカーボネート、ポリエチレン、ポリ塩化ビニル、ポリアクリルアミド、ラテックス、リポソーム、ゼラチン、アガロース、セルロース、ガラス、金属、セラミックスなどの材質からなる繊維、ビーズ、試験管、マイクロプレート、スティックなどが用いられる。
【００１５】
この受容体等は、そのままの形態で固相化して第１の結合物質として測定対象物質を基材表面にトラップする目的で用いることが可能である。第１の結合物質の基材への固相化は物理的な吸着または適当な官能基を介した共有結合などの化学的な結合のいずれの方法でも可能である。物理的吸着法による場合は、公知の方法に従い、緩衝液などに溶解した第１の結合物質を基材の固定化したい部分に添加し接触させることにより行うことができる。共有結合を介した化学的な結合としては、受容体等の持つアミノ基、カルボキシル基、スルフヒドリル基等を用いて基材表面の反応基と結合させることが可能である。
【００１６】
また、受容体等を第２の結合物質として用いることも可能である。その場合は、受容体等を第１の結合物質と結合した測定対象物質に反応（結合）させ、さらに受容体等と結合する物質（酵素標識抗受容体タンパク抗体など）を反応させてこれを検出する方法、受容体等をラジオアイソトープ、酵素、ビオチンなど適当な物質で直接共有結合的に修飾してこれを検出する方法などが考えられる。結合した標識化された物質量は、通常の免疫測定法と同様にラジオアイソトープの測定、酵素基質を添加して、発色あるいは発光などの測定により定量化が可能である。
【００１７】
また、前述のとおり、測定対象物質が分子上に２カ所以上の受容体結合部位を有する場合は、上述の方法に従って受容体等を第１および第２の結合物質の両方に用いることもが可能である。
【００１８】
本発明の測定をおこなうためのキットとしては、例えば、第１の結合物質を固相化した基材、既知量の測定対象物質を含有する標準サンプル、酵素で標識化した第２の結合物質および酵素反応を検出するための基質を構成品として含むキットが用いられる。そのほか検体、結合物質を希釈するための緩衝液、洗浄液なども含めた構成のキットも可能である。
【００１９】
本発明でいう測定対象物質は、生体内で何らかの生物学的作用を持ついわゆる生理活性物質であり、タンパク、糖、核酸、などである。これらは、各種ホルモンのような生体が自ら作り出す物質、および外来の微生物などが生体に侵入して作り出す毒素のような外来物質の両方が含まれる。
【００２０】
本発明での具体的な測定対象例としては、例えばハイモビリティーグループタンパク１（以下、ＨＭＧＢ１という。なお、ＨＭＧ−１、アンフォテリンとも呼ばれる）が挙げられる。ＨＭＧＢ１とは、真核細胞内に存在する一群の非ヒストン性のＤＮＡ結合タンパクの一種であるが、ＬＰＳ等の刺激により細胞外に分泌されたＨＭＧＢ１が全身性炎症反応、敗血症性ショックのメディエーターとして働くことが近年報告されている。また、ＨＭＧＢ１は癌の増殖、転移にも関与することが報告されている。たとえば、ワン（Ｗａｎｇ  Ｈ）他１８名、「マウスにおけるエンドトキシン侵襲の後期メディエーターとしてのＨＭＧ−１（ＨＭＧ−１  ａｓ  ａ  ｌａｔｅ  ｍｅｄｉａｔｏｒ  ｏｆ  ｅｎｄｏｔｏｘｉｎ  ｌｅｔｈａｌｉｔｙ  ｉｎ  ｍｉｃｅ）」、Ｓｃｉｅｎｃｅ、（アメリカ）、１９９９年、２８５巻、ｐ２４８−２５１、または、タグチ（Ｔａｇｕｃｈｉ  Ａ）他１８名、「ＲＡＧＥ−アンホテリン情報伝達を阻害すると腫瘍の成長と転移が抑制される（Ｂｌｏｃｋａｄｅ  ｏｆ  ＲＡＧＥ−ａｍｐｈｏｔｅｒｉｎ  ｓｉｇｎａｌｌｉｎｇ  ｓｕｐｐｒｅｓｓｅｓ  ｔｕｍｏｒ  ｇｒｏｗｔｈ  ａｎｄｍｅｔａｓｔａｓｅｓ）」、Ｎａｔｕｒｅ、（イギリス）、２０００年、４０５巻、ｐ３５４−３６０、などにその報告がある。
【００２１】
このＨＭＧＢ１の生理作用を伝える受容体として糖化変性タンパク受容体（以下、ＲＡＧＥという）が知られている。（たとえば、ホリ（Ｈｏｒｉ  Ｏ）他１３名、「最終糖化産物受容体（ＲＡＧＥ）は、アンフォテリンの細胞での結合部位である（Ｔｈｅ  Ｒｅｃｅｐｔｏｒ  ｆｏｒ  Ａｄｖａｎｃｅｄ  ｇｌｙｃａｔｉｏｎ  ｅｎｄ  ｐｒｏｄｕｃｔｓ  （ＲＡＧＥ）  ｉｓ  ａ  ｃｅｌｌｕｌａｒ  ｂｉｎｄｉｎｇ  ｓｉｔｅ  ｆｏｒ  ａｍｐｈｏｔｅｒｉｎ）」、Ｊ．Ｂｉｏｌ．Ｃｈｅｍ．、（アメリカ）、１９９５年、２７０、ｐ２５７５２−２５７６１）。ＨＭＧＢ１測定の目的で本発明を実施する場合の受容体としては、細胞から精製したＲＡＧＥそのもの、あるいはＲＡＧＥの細胞外領域をコードする遺伝子領域を遺伝子工学的に作製して種々の細胞で発現分泌させた可溶性ＲＡＧＥなどを用いることができる。
【００２２】
【実施例】
以下、本発明を実施例により更に具体的に説明するが本発明の範囲はこれらの実施例に限定されるものではない。
（１）ＨＭＧＢ１の作製
ヒト白血病由来細胞ＨＬ６０を５×１０５／ｍｌの濃度でＲＰＭＩ１６４０培地（無血清）を用いて培養した。４日間培養後の上清１Ｌ分を遠心分離で回収し、ＨｉＴｒａｐ  Ｈｅｐａｒｉｎ  ＨＰカラム（５ｍｌ）（Ａｍｅｒｓｈａｍ  Ｐｈａｒｍａｃｉａ）に通して培養上清中のＨＭＧＢ１を吸着させた。カラムを２５ｍｌのリン酸生理緩衝液（ＰＢＳ；１３７ｍＭ  ＮａＣｌ，８．１０ｍＭ  Ｎａ２ＰＯ４，２．６８ｍＭ  ＫＣｌ，１．４７ｍＭ  ＫＨ２ＰＯ４）で洗浄後、０．５ＭＮａＣｌを含むＰＢＳ１５ｍｌを流して、吸着したタンパクを溶出させた。溶出液をＰＤ−１０カラム（Ａｍｅｒｓｈａｍ  Ｐｈａｒｍａｃｉａ）を用いて脱塩し、溶液組成を７．５ｍＭホウ酸ナトリウムｐＨ９．０に置換した。これを５ｍｌのカルボキシメチルセファデックスを充填したカラムにアプライし、０−０．５ＭのＮａＣｌグラジエントで分離溶出させた。溶出させたフラクション中のタンパクをＳＤＳポリアクリルアミドゲル電気泳動およびウエスタンブロット法で解析し、ＨＭＧＢ１を含む画分を集めて精製標品を得た。
（２）可溶性ＲＡＧＥの作製
Ａ．ヒトＲＡＧＥ遺伝子のクローニング
ヒト肺ｃＤＮＡライブラリー（宝酒造（株）製）を鋳型にＰＣＲ（ｐｏｌｙｍｅｒａｓｅ  ｃｈａｉｎ  ｒｅａｃｔｉｏｎ）を行い、細胞外ドメイン上流及び下流の２つの断片を増幅した。ＰＣＲプライマーはヒトＲＡＧＥのデータベース配列（Ｇｅｎｅｂａｎｋ  ａｃｃｅｓｓｉｏｎ  Ｎｏ．Ｍ９１２１１）を基に４種類設計し、各々２種類ずつを上流及び下流増幅プライマーとして用いた。
【００２３】
・上流増幅プライマー：（プライマーのＲＡＧＥ中の位置または塩基番号（ＲＡＧＥの開始コドンＡＴＧのＡを１とした。））
Ｓ（１〜２９）及びＡＳ（７３０〜７４９）
・５’−ＡＧＡＡＴＴＣＡＴＧＧＣＡＧＣＴＧＧＣＡＣＣＧＣＡＧＴＴＧ−３’      （２９ｍｅｒ：Ｓ）
・５’−ＧＣＴＡＣＴＧＣＴＣＣＡＣＣＴＴＣＴＧＧ−３’      （２０ｍｅｒ：ＡＳ）
・下流増幅プライマー：（プライマーのＲＡＧＥ中の位置）
Ｓ（４６２〜４８１）及びＡＳ（１００７〜１０３２）
・５’−ＴＣＴＴＡＧＣＴＧＧＣＡＣＴＴＧＧＡＴＧ−３’      （２０ｍｅｒ：Ｓ）
・５’−ＡＡＧＡＴＣＴＴＣＡＴＣＡＴＧＣＡＡＧＡＧＣＴＡＧＡＧＴＴＣＣＣＡＧＣＣＣＴＧ−３’      （３９ｍｅｒ：ＡＳ）
（上流には制限酵素ＥｃｏＲＩ、下流にはＢｇｌＩＩの切断部位を付加した。）
また、プライマーの安定性と遺伝子発現効率を上げるためにいくつかの塩基は適宜置換した。さらに、ＲＡＧＥを可溶型とするため、細胞外ドメインの下流末端に終止コドン（ＴＧＡ）を付加した。
【００２４】
２種類の反応産物をアガロースゲル電気泳動した。さらに得られた各ＰＣＲ増幅断片を電気泳動のゲルから回収した後、ｐＵＣ１８ベクターにクローニングし、ＰＣＲ産物の塩基配列確認を行った。
【００２５】
Ｂ．バキュロウイルストランスファーベクターへの遺伝子挿入
バキュロウイルスベクターへのクローニングを以下のように行った。ベクターはｐＶＬ１３９３（ｐｈａｒｍｉｎｇｅｎ）を用いた。まず、ベクターを制限酵素ＥｃｏＲＩとＢｇｌＩＩで切断し、アルカリフォスファターゼで脱リン酸化した後精製した。Ａ．で得たＲＡＧＥ細胞外ドメイン上流及び下流の２つの断片は以下に示す制限酵素で切断後、目的断片を精製した（目的断片の塩基数）。
・上流：ＥｃｏＲＩ／ＦｓｐＩ（６６６ｂｐ）
・下流：ＦｓｐＩ／ＢｇｌＩＩ（３８４ｂｐ）
精製した２断片をｐＶＬ１３９３ベクターのポリヘドリンプロモーターの下流に挿入した。得られたクローンについて電気泳動による挿入断片のサイズ確認と塩基配列決定により、目的ＤＮＡを持つクローンが構築できたことを確認した。
【００２６】
Ｃ．昆虫細胞への感染とヒトＲＡＧＥ細胞外ドメインの発現
バキュロウイルスを感染させる昆虫細胞はＨｉｇｈ  Ｆｉｖｅ（登録商標）細胞を用いた。無血清培地（Ｅｘｐｒｅｓｓ  Ｆｉｖｅ  ＳＦＭ（Ｇｉｂｃｏ  ＢＲＬ））を用いて、３００ｃｍ２フラスコ中で培養し、セミコンフルエントとなった時点でウイルス感染させた。３〜５日間２５℃で静置した後、培養上清を回収した。
【００２７】
Ｄ．ヘパリンカラムによるヒトＲＡＧＥ細胞外ドメインの精製
上記Ｃ．で得られたヒトＲＡＧＥ細胞外ドメインを含む培養上清から、ヒトＲＡＧＥ細胞外ドメインを精製した。はじめに、回収した培養上清を遠心してから０．２２μｍのフィルターで濾過した。次いで、ＨｉＴｒａｐ  Ｈｅｐａｒｉｎ  ＨＰ（Ａｍｅｒｓｈａｍ  Ｐｈａｒｍａｃｉａ）に４℃で一晩循環させた。０．２５Ｍ  ＮａＣｌを含む２０ｍＭリン酸緩衝液を流して洗浄してから、０．７５Ｍ  ＮａＣｌを含む２０ｍＭリン酸緩衝液で溶出し、精製を行った。さらに、その分画をヒドロキシアパタイトカラム（（株）高研製）を用いて精製した。ヒトＲＡＧＥ細胞外ドメイン分画を、分画分子量１００００の透析膜を用いて、ＰＢＳ（リン酸緩衝生理食塩液）に対して透析した。精製後のヒトＲＡＧＥ細胞外ドメイン分画について電気泳動を行い、ＣＢＢ染色により精製度を確認した結果、シングルバンドが観察され、精製が確認された。
【００２８】
（３）抗体と可溶性ＲＡＧＥを用いたＨＭＧＢ１の測定（実施例）
ＥＬＩＳＡ用９６穴マイクロプレート（Ｎｕｎｃ、Ｍａｘｉｓｏｒｐ）のウェルに２μｇ／ｍｌの抗ＨＭＧＢ１モノクローナル抗体（ＭＢＬ  ｃｌｏｎｅＦＢＨ７）ＰＢＳ溶液を入れ４℃で一晩固相化を行い、抗体溶液を除去した後、０．５％ＢＳＡを含むＰＢＳを入れ室温で１０分間ブロッキングを行った。プレートをＴｒｉｓ−Ｔ（０．０５％Ｔｗｅｅｎ−２０（登録商標）を含む０．１ＭＴｒｉｓ塩酸ｐＨ８．０）で洗浄後、種々濃度のＨＭＧＢ１を添加した緩衝液（０．２５％ＢＳＡおよび０．０５％Ｔｗｅｅｎ−２０（登録商標）を含む０．１ＭＴｒｉｓ−塩酸ｐＨ８．０）１００μｌを加えて２５℃で６０分反応させた。各ウェルを４００μｌのＴｒｉｓ−Ｔで３回洗浄後、１μｇ／ｍｌの可溶性ＲＡＧＥ溶液（１ｍＭ塩化カルシウムを含む緩衝液で希釈）１００μｌを入れて２５℃で６０分間反応させ、さらに各ウェルをＴｒｉｓ−Ｔで３回洗浄後５μｇ／ｍｌのビオチン標識化抗ＲＡＧＥモノクローナル抗体溶液（緩衝液で希釈）を加えて３０分反応させた。各ウェルを４００μｌのＴｒｉｓ−Ｔで３回洗浄後、緩衝液で４００００倍に希釈したＨＲＰ標識ストレプトアビジン（Ｚｙｍｅｄ）溶液を１００μｌ入れ２５℃で１５分反応させた。各ウェルを４００μｌのＴｒｉｓ−Ｔで３回洗浄後、発色液（０．００６％過酸化水素，０．２ｍｇ／ｍｌテトラメチルベンジジン（ＴＭＢ）を含む０．１Ｍ酢酸―クエン酸ナトリウム緩衝液（ｐＨ４．５））を１００μｌ分注して１５分反応させた。１Ｎ硫酸を１００μｌ加えて反応を止め、マイクロプレートリーダーを用いて４５０ｎｍで吸光度を測定した。結果を図１に示す。
【００２９】
（４）２種の抗体を用いたＨＭＧＢ１の測定（比較例）
ＥＬＩＳＡ用９６穴マイクロプレート（Ｎｕｎｃ、Ｍａｘｉｓｏｒｐ）のウェルに２μｇ／ｍｌの抗ＨＭＧＢ１モノクローナル抗体（ＭＢＬ  ｃｌｏｎｅＦＢＨ７）ＰＢＳ溶液を入れ４℃で一晩固相化を行い、抗体溶液を除去した後、０．５％ＢＳＡを含むＰＢＳを入れ室温で１０分間ブロッキングを行った。プレートをＴｒｉｓ−Ｔ（０．０５％Ｔｗｅｅｎ−２０を含む０．１ＭＴｒｉｓ塩酸ｐＨ８．０）で洗浄後、種々濃度のＨＭＧＢ１を添加した緩衝液（０．２５％ＢＳＡおよび０．０５％Ｔｗｅｅｎ−２０（登録商標）を含む０．１ＭＴｒｉｓ−塩酸ｐＨ８．０）１００μｌを加えて２５℃で６０分反応させた。各ウェルを４００μｌのＴｒｉｓ−Ｔで３回洗浄後、０．５μｇ／ｍｌのビオチン標識抗ＨＭＧＢ１ポリクローナル抗体（Ｐｈａｒｍｉｎｇｅｎ）緩衝液溶液１００μｌを入れて２５℃で６０分間反応させ、さらに各ウェルをＴｒｉｓ−Ｔで３回洗浄後、緩衝液で４００００倍に希釈したＨＲＰ標識ストレプトアビジン（Ｚｙｍｅｄ）溶液を１００μｌ入れ２５℃で１５分反応させた。各ウェルを４００μｌのＰＢＳ−Ｔで３回洗浄後、発色液（０．００６％過酸化水素，０．２ｍｇ／ｍｌテトラメチルベンジジン（ＴＭＢ）を含む０．１Ｍ酢酸―クエン酸ナトリウム緩衝液（ｐＨ４．５））を１００μｌ分注して１０分反応させた。１Ｎ硫酸を１００μｌ加えて反応を止め、マイクロプレートリーダーを用いて４５０ｎｍで吸光度を測定した。結果を図２に示す。
【００３０】
【発明の効果】
本発明の生理活性物質の測定方法によれば、従来の抗体のみを用いる方法と比べて、測定対象物質の抗原性によらず、高感度でかつ生理活性を正しく反映した測定結果を得ることができる。
【図面の簡単な説明】
【図１】抗体と受容体（可溶性ＲＡＧＥ）を用いた測定系によるＨＭＧＢ１の測定結果（実施例）である。
【図２】２種の抗体を用いた測定系によるＨＭＧＢ１の測定結果（比較例）である。
【図１】
2004257923.tif 000002
【図２】
2004257923.tif 000003